(57)【要約】【課題】非接触通信時の操作性を向上させるとともに、通信不良を回避する。【解決手段】携帯通信機器３００は、タブレット型の機器であり、筺体の一面に表示手段３０１を備えている。非接触通信手段３０３は、表示手段の３０１裏面に位置するよう配置されたアンテナ部３０２を有し、該アンテナ部３０２を用いて、外部リーダ／ライタとの間で非接触通信を行う。表示制御手段３０５は、非接触通信手段３０３による非接触通信の間、アンテナ部３０２が配置された位置に対応する、表示手段３０１の位置にマーカ３０４を表示させる。【選択図】図７
2013131807.tif 000002
【特許請求の範囲】
【請求項１】
表示手段と、
前記表示手段の裏面に位置するよう配置されたアンテナ部を用いて、外部リーダ／ライタとの間で非接触通信を行う非接触通信手段と、
前記非接触通信手段による非接触通信の間、前記アンテナ部が配置された位置に対応する、前記表示手段の位置にマーカを表示させる表示制御手段と
を備えることを特徴とする携帯通信機器。
【請求項２】
前記表示制御手段は、
前記非接触通信手段による非接触通信の間、前記マーカに加えて、該マーカ上で交わる十字交線を表示させる、
ことを特徴とする請求項１に記載の携帯通信機器。
【請求項３】
前記表示制御手段は、
前記非接触通信手段による非接触通信の間、前記マーカに加えて、該マーカに向かう矢印を表示させる、
ことを特徴とする請求項１に記載の携帯通信機器。
【請求項４】
表示部を備える携帯通信機器での情報提示方法であって、
前記表示部の裏面に位置するよう配置されたアンテナ部を用いて、外部リーダ／ライタとの間で非接触通信を行う非接触通信ステップと、
前記非接触通信ステップによる非接触通信の間、前記アンテナ部が配置された位置に対応する、前記表示部の位置にマーカを表示させる表示制御ステップと
を含むことを特徴とする情報提示方法。
【請求項５】
表示部を備える携帯通信機器のコンピュータに、
前記表示部の裏面に位置するよう配置されたアンテナ部を用いて、外部リーダ／ライタとの間で非接触通信を行う非接触通信機能、
前記非接触通信機能による非接触通信の間、前記アンテナ部が配置された位置に対応する、前記表示部の位置にマーカを表示させる表示制御機能
を実行させることを特徴とするプログラム。
【発明の詳細な説明】
【技術分野】
【０００１】
本発明は、携帯電話機等に係り、外部リーダ／ライタ（Ｒ／Ｗ）との間で非接触通信を行う非接触通信機能を搭載する携帯通信機器、情報提示方法、及びプログラムに関する。
【背景技術】
【０００２】
近年、携帯通信機器は、タブレット型の端末機器が急速に拡販し、視認性、操作性の向上のために液晶大型化や、連続使用時間を長くするために電池容量増大化などの傾向が進んでいる。また、携帯通信機器には、通話機能に加えて、非接触通信機能、ネット接続機能、カメラ撮影機能等の様々な機能が追加され、多機能化が進んでいる。日本国内で普及している非接触通信としては、例えば、フェリカ（ＦｅｌｉＣａ：商標登録）があり、携帯通信機器には、その機器において最も非接触通信性能を満足するフェリカマークが印字もしくは刻印されている。
【０００３】
図５（ａ）、（ｂ）は、タブレット型の携帯通信機器１００の構造を示す外観図である。図５（ａ）には、タブレット型の携帯通信機器１００を電池蓋３側（裏面）から見た外観図を示している。図５（ａ）に示すように、タブレット型の携帯通信機器１００の裏面には、電池蓋３があり、その上部にフェリカマーク１が刻印されている。内部には、該フェリカマーク１を略中心として周囲にＲＦＩＤアンテナ４が配置されている。前述した電池の大型化や様々な機能を有するデバイスが配置されているため、フェリカマーク１は、機器中心点（裏面側）２から大きく外れた場所に位置する。言い換えると、フェリカマーク１は、ＲＦＩＤアンテナ４の位置を示していることになる。
【０００４】
一方、図５（ｂ）には、携帯通信機器１００の表示デバイス５（表面）側から見た外観図を示している。図５（ｂ）に示すように、実際に裏面に刻印されているフェリカマーク１は、表示デバイス５（表面）側から見た場合も、裏面と同様に機器中心点（表面側）７から離れていた場所に位置することが分かる。
【０００５】
携帯通信機器１００にて非接触ＩＣカード機能を使用する場合、相手側のＲ／Ｗと通信を行う。実際には、携帯通信機器１００の相手側のＲ／Ｗへのかざし方が理想状態とアンマッチしており、非接触ＩＣ通信不良となる課題があった。
【０００６】
図６（ａ）、（ｂ）は、携帯通信機器１００の相手側のＲ／Ｗ２００へのかざし方について３次元上で示す斜視図である。相手側のＲ／Ｗ２００の中心点８を中心に、その周囲にＲ／Ｗ側のアンテナ９が配置されている。非接触通信を行う際は、図６（ａ）で示すように、本来であれば最も通信性能が良くなるように、裏側にあるフェリカマーク１を、Ｒ／Ｗ２００の中心点８にかざした状態での通信方法が望ましい。
【０００７】
しかしながら、実際には、携帯通信機器１００の表面を上にして、相手側のＲ／Ｗ２００にかざすことになるので、フェリカマーク１は見えず、表面である表示デバイス５側しか見えないため、裏側にあるフェリカマーク１をＲ／Ｗ側中心点８にかざすことは困難である。
【０００８】
一般に、ユーザは、図６（ｂ）のように、携帯通信機器１００の機器中心点７と相手側Ｒ／Ｗの中心点８とがＺ軸上で重なるように、携帯通信機器１００を相手側のＲ／Ｗ２００にかざしてしまう。このため、相手側Ｒ／Ｗ２００の中心点８とフェリカマーク位置１（すなわち、Ｒ／Ｗ側アンテナ９とＲＦＩＤアンテナ４）とがずれてしまい、非接触通信不良を招いてしまう。
【０００９】
Ｒ／Ｗ側アンテナ９のサイズが大きいＲ／Ｗ、例えば改札機Ｒ／Ｗとの非接触通信であれば、図６（ｂ）に示す状態でも通信可である可能性が高いと考えられる。しかしながら、Ｒ／Ｗ側アンテナ９のサイズが小さい場合や通信機器同士をかざした非接触通信時の場合には、図６（ｂ）に示すかざし方であると、通信不良となる可能性が高い。
【００１０】
そこで、例えば、特許文献１には、２つ折り、またはスライド式の携帯通信機器において、表示部側の筺体の姿勢状態に応じて、フェリカ回路が筺体の外側に位置するか否かを判定し、外側に位置しない状態である場合には、受信感度が不良である旨の報知を、そのときの姿勢に応じて有効な表示部で出力する技術が開示されている。
【先行技術文献】
【特許文献】
【００１１】
【特許文献１】特開２００８−２４４６９２号公報
【発明の概要】
【発明が解決しようとする課題】
【００１２】
しかしながら、上記特許文献１では、ヒンジモデルタイプの携帯通信機器であるため、受信感度が不良である旨の報知するためには、背面にも表示デバイスが必要となるという問題があった。また、フェリカ回路が筺体の外側に位置するか否かを判定するだけで、フェリカ回路と相手側のＲ／Ｗとの位置関係を考慮するわけではないので、通信不良を回避できるとは限らないという問題があった。
【００１３】
そこで本発明は、非接触通信時の操作性を向上させることができるとともに、通信不良を回避することができる携帯通信機器、情報提示方法、及びプログラムを提供することを目的とする。
【課題を解決するための手段】
【００１４】
本発明の携帯通信装置は、表示手段と、前記表示手段の裏面に位置するよう配置されたアンテナ部を用いて、外部リーダ／ライタとの間で非接触通信を行う非接触通信手段と、前記非接触通信手段による非接触通信の間、前記アンテナ部が配置された位置に対応する、前記表示手段の位置にマーカを表示させる表示制御手段とを備えることを特徴とする携帯通信機器である。
【００１５】
本発明の情報提示方法は、表示部を備える携帯通信機器での情報提示方法であって、前記表示部の裏面に位置するよう配置されたアンテナ部を用いて、外部リーダ／ライタとの間で非接触通信を行う非接触通信ステップと、前記非接触通信ステップによる非接触通信の間、前記アンテナ部が配置された位置に対応する、前記表示部の位置にマーカを表示させる表示制御ステップとを含むことを特徴とする情報提示方法である。
【００１６】
本発明のプログラムは、表示部を備える携帯通信機器のコンピュータに、前記表示部の裏面に位置するよう配置されたアンテナ部を用いて、外部リーダ／ライタとの間で非接触通信を行う非接触通信機能、前記非接触通信機能による非接触通信の間、前記アンテナ部が配置された位置に対応する、前記表示部の位置にマーカを表示させる表示制御機能を実行させることを特徴とするプログラムである。
【発明の効果】
【００１７】
この発明によれば、非接触通信時の操作性を向上させることができるとともに、通信不良を回避することができる。
【図面の簡単な説明】
【００１８】
【図１】本発明の実施形態による携帯通信機器１００の構成を示すブロック図である。
【図２】本実施形態による携帯通信機器１００の動作（非接触通信動作：カードモード）を説明するためのフローチャートである。
【図３】本実施形態による携帯通信機器１００の動作（非接触通信動作：Ｒ／Ｗモード）を説明するためのフローチャートである。
【図４】本実施形態による携帯通信機器１００でのマーカ６の表示方法例を示す模式図である。
【図５】タブレット型携帯通信機器１００の構造を示す外観図である。
【図６】携帯通信機器１００の相手側のＲ／Ｗ２００へのかざし方について３次元上で示す斜視図である。
【図７】付記１の構成を示すブロック図である。
【発明を実施するための形態】
【００１９】
以下、本発明の実施の形態を、図面を参照して説明する。
【００２０】
図１は、本発明の実施形態による携帯通信機器１００の構成を示すブロック図である。図において、携帯通信機器１００は、無線通信部２０、音声処理部２１、マイクロフォン２２、スピーカ２３、ＲＯＭ２４、ＲＡＭ２５、表示デバイス２６、操作部（タッチパネル）２７、フェリカ部２８、及びＣＰＵ２９からなる。無線通信部２０は、ＣＰＵ２９の制御の下、無線通信網を介して音声通話やデータ通信などを行う。音声処理部２１は、ＣＰＵ２９の制御の下、マイクロフォン２２からの音声を取り込んだり、音声信号をスピーカ２３から出力したりするための音声処理を行う。
【００２１】
ＲＯＭ２４は、各種パラメータや、プログラムを記憶する。ＲＡＭ２５は、各種データを記憶する。表示デバイス２６は、液晶表示器や有機ＥＬ表示器などからなり、ＣＰＵ２９の制御の下、メニュー画面やデータ（テキストや静止画、動画）などを表示する。操作部（タッチパネル）２７は、表示デバイス２６の表面に設けられており、表示デバイス２６の表示と連動し、ユーザによるタッチ操作で各種メニューの選択や動作指示などが可能となっている。フェリカ部２８は、ＣＰＵ２９の制御の下、外部のＲ／Ｗ２００（図６（ａ）、（ｂ）を参照）との間で、非接触通信を行う。
【００２２】
ＣＰＵ２９は、ＲＯＭ２４に記憶されているプログラムに従って各部の動作を制御する。特に、本実施形態では、ＣＰＵ２９は、フェリカ部２８とＲ／Ｗ２００との間で非接触通信を行う際に、表示デバイス２６の表示を制御する表示制御機能を備えている。より具体的には、ＣＰＵ２９は、電池側に印字、刻印されているフェリカマーク１（図５（ａ）、（ｂ）を参照）に対応する、携帯通信機器１００の表示デバイス２６上の位置にマーカを表示するようになっている。
【００２３】
この結果、携帯通信機器１００をＲ／Ｗ２００上にかざしたユーザに、裏面側のフェリカマーク１の位置を視認させながら誘導することができるので、操作性を向上させることが可能となる。また、図６（ａ）に示すように、裏面側のフェリカマーク１（ＲＦＩＤアンテナ４）と相手側のＲ／Ｗ中心点８とがＺ軸上で重なるので、非接触通信不良を回避することができる。
【００２４】
次に、本発明の実施形態の動作について説明する。
図２は、本実施形態による携帯通信機器１００の動作（非接触通信動作：カードモード）を説明するためのフローチャートである。なお、カードモードとは、例えば電車の改札機通過や、店舗などのレジカウンタでの電子決済などの動作モードに相当する。
【００２５】
まず、ユーザが携帯通信機器１００の表面を上にして、相手側のＲ／Ｗ２００にかざすと、フェリカ部２８のアンテナ４は、相手側のＲ／Ｗ（改札機Ｒ／Ｗやレジカウンタに設置されているＲ／Ｗ）から発生される搬送波（ＲＦ磁界）を受信する（ステップＳ１０）。ＣＰＵ２９は、搬送波（ＲＦ磁界）が受信されると、フェリカ部１８を起動し、非接触ＩＣ通信を開始する（ステップＳ１２）。
【００２６】
次に、ＣＰＵ２９は、電池側に印字、刻印されているフェリカマーク１の位置に対応する、表示デバイス２６上の位置にマーカ６を表示させる（ステップＳ１４）。ユーザは、表示デバイス２６に表示されているマーカ６が、Ｒ／Ｗの中心に位置するように携帯通信機器１００をかざせばよい。これにより、図６（ａ）に示すように、裏面側のフェリカマーク１と相手側のＲ／Ｗ中心点８とがＺ軸上で重なるので、非接触通信不良が回避される。
【００２７】
非接触通信中は、裏面側のフェリカマーク１の位置に対応する、表示デバイス２６上の位置にマーカ６（例えば、フェリカマーク１と同形状）が表示され続ける。なお、マーカ６の表示例については後述する。
【００２８】
次に、フェリカ部２８は、Ｒ／Ｗ２００からコマンドを受信し（ステップＳ１６）、該コマンドを処理し（ステップＳ１８）、処理結果をＲ／Ｗ２００へ応答し（ステップＳ２０）、Ｒ／Ｗ２００との間の非接触ＩＣ通信が終了したか否かを判定する（ステップＳ２２）。そして、Ｒ／Ｗ２００との間の非接触ＩＣ通信が終了していない場合には（ステップＳ２２のＮＯ）、ステップＳ１６に戻り、非接触ＩＣ通信を継続、あるいは繰り返す。
【００２９】
一方、Ｒ／Ｗ２００との間の非接触ＩＣ通信が終了した場合には（ステップＳ２２のＹＥＳ）、ＣＰＵ２９は、フェリカ部２８をオフとし、非接触ＩＣ通信を停止し（ステップＳ２４）、表示デバイス２６をフェリカ動作前の画面に戻し（マーカ６を消去する）（ステップＳ２６）、当該処理を終了する。
【００３０】
図３は、本実施形態による携帯通信機器１００の動作（非接触通信動作：Ｒ／Ｗモード）を説明するためのフローチャートである。なお、Ｒ／Ｗモードとは、携帯通信機器１００自らの情報を相手側のＲ／Ｗ（他の携帯通信機器も含む）２００に送る通信モードであり、上述したカードモードの場合が受動的な動作に対して、では、携帯通信機器１００が能動的な動作になる。
【００３１】
まず、ユーザがＲ／Ｗモードにすべく操作すると、ＣＰＵ２９は、フェリカ部２８を起動し、アンテナ４から搬送波を出力する（ステップＳ３０）。相手側のＲ／Ｗ２００では、内蔵されているアンテナ９が搬送波を受信してＲ／Ｗ側のＩＣが起動し、非接触ＩＣ通信を開始する。これを受けて、携帯通信機器１００でも、非接触ＩＣ通信を開始する（ステップＳ３２）。次に、電池側に印字、刻印されているフェリカマーク１の位置に対応する、表示デバイス２６上の位置にマーカ６を表示させる（ステップＳ３４）。
【００３２】
ユーザは、表示デバイス２６に表示されているマーカ６が、Ｒ／Ｗ２００の中心に位置するように携帯通信機器１００をかざすことになる。これにより、図６（ａ）に示すように、裏面側のフェリカマーク１と相手側のＲ／Ｗ中心点８とがＺ軸上で重なるので、非接触通信不良が回避される。非接触通信中は、裏面側のフェリカマーク１の位置に対応する、表示デバイス２６上の位置にマーカ６（例えば、フェリカマーク１と同形状）が表示され続ける。なお、マーカ６の表示例については後述する。
【００３３】
次に、携帯通信機器１００では、フェリカ部２８からコマンドをＲ／Ｗ２００に送信する（ステップＳ３６）。相手側のＲ／Ｗ２００は、コマンドを受信して処理し、携帯通信機器１００に処理結果を応答する。携帯通信機器１００では、フェリカ部２８がＲ／Ｗ２００からの処理結果を受信する（ステップＳ３８）。
【００３４】
携帯通信機器１００では、ＣＰＵ２９が、Ｒ／Ｗ２００との間の非接触ＩＣ通信が終了したか否かを判定する（ステップＳ４０）。そして、Ｒ／Ｗ２００との間の非接触ＩＣ通信が終了していない場合には（ステップＳ４０のＮＯ）、ステップＳ３６に戻り、非接触ＩＣ通信を継続、あるいは繰り返す。
【００３５】
一方、ＣＰＵ２９は、Ｒ／Ｗ２００との間の非接触ＩＣ通信が終了した場合には（ステップＳ４０のＹＥＳ）、フェリカ部２８をオフとし、非接触ＩＣ通信を停止し（ステップＳ４２）、表示デバイス２６をフェリカ動作前の画面に戻し（マーカ６を消去する）（ステップＳ４４）、当該処理を終了する。
【００３６】
図４（ａ）、（ｂ）、（ｃ）は、本実施形態による携帯通信機器１００でのマーカ６の表示方法例を示す模式図である。本実施形態では、図４（ａ）〜（ｃ）に示すように、本来は携帯通信機器１００の電池側に印字、刻印されているフェリカマーク１に対応する、携帯通信機器１００の表示デバイス２６の位置にマーカ６を表示させることで、裏面側に設けられたフェリカマーク１の位置を、ユーザに視認させることを可能とする。
【００３７】
図４（ａ）には、単純に、フェリカマーク１に対応する、携帯通信機器１００の表示デバイス２６の位置にマーカ６を表示する例を示している。これに対して、さらに視認性を向上させるために、図４（ｂ）に示すように、マーカ６に十字交線１０を追加表示したり、図４（ｃ）に示すように、マーカ６に矢印１１、１１を追加表示したりするようにしてもよい。また、より視認性を向上させるために、マーカ６の色を変えたり、点滅させたり、十字交線１０や矢印１１の色を変えたり、点滅させたりするようにしてもよい。このように、視認性を向上させることで、ユーザの操作性を更に向上することができる。
【００３８】
このように、本実施形態によれば、携帯通信機器１００の電池側に印字、刻印されているフェリカマーク１に対応する、携帯通信機器１００の表示デバイス２６の位置にマーカ６を表示させることで、機器中心点７と相手側のＲ／Ｗ中心点８とが重なるようにかざすことなく、表示デバイス２６のマーカ６と相手側のＲ／Ｗ中心点８とが重なるようにかざすようにユーザを誘導することができる。そして、表示デバイス２６のマーカ６と相手側のＲ／Ｗ中心点８とが重なることで、携帯通信機器１００のフェリカ部２８のＲＦＩＤアンテナ４とＲ／Ｗ２００側アンテナ９とが重なることにより、非接触通信不良を回避することができる。
【００３９】
なお、本発明の実施形態では、非接触通信であるフェリカのみについて説明したが、これに限らず、近距離無線通信（Near Field
Communication：ＮＦＣ）に準拠した規格の通信時においても同様に表示デバイス側に表示させることで、操作性が向上し通信不良を回避することができる。また、無接点充電規格のマークであるＱｉマーク（商標登録）を有する携帯通信機器も同様に表示デバイス側に表示させることで操作性が向上し、通信不良を回避することができる。
【００４０】
また、本実施形態は、端末通信機器として携帯電話に適用した例であるが、本発明はこれに限定されるものではなく、非接触通信が可能な携帯型の端末機器、例えば、携帯情報端末、パーソナルコンピュータ、通信機、その他の電子機器等にも幅広く適用できる。
【００４１】
上述した実施形態によれば、非接触通信時に、本来は電池側に印字、刻印されているフェリカマークを、通信機器の表面に当たる表示デバイス上に擬似的に表示させることで、ユーザはマーク位置を認知しつつ、携帯通信機器１００を相手側のＲ／Ｗ２００にかざすことで、ＲＦＩＤアンテナ４とＲ／Ｗ側アンテナ９との位置が合い、ユーザの操作性を向上させることができるとともに、非接触通信不良を回避することができる。
【００４２】
以下、本発明の特徴を付記する。
上記の実施形態の一部又は全部は、以下の付記のようにも記載されうるが、以下には限られない。
（付記１）
図７は、付記１の構成図である。なお、図７と図１との対応について説明する。図７に示す表示手段３０１は、図１の表示デバイス２６に相当し、アンテナ部３０２は、図１のアンテナ４に相当する。また、図７の非接触通信手段３０３は、図１のフェリカ部２８に相当する。また、図７の表示制御手段３０５は、図１のＣＰＵ２９の表示制御機能に相当する。
【００４３】
この図に示すように、付記１記載の発明は、
表示手段３０１と、
前記表示手段３０１の裏面に位置するよう配置されたアンテナ部３０２を用いて、外部リーダ／ライタとの間で非接触通信を行う非接触通信手段３０３と、
前記非接触通信手段３０３による非接触通信の間、前記アンテナ部３０２が配置された位置に対応する、前記表示手段３０１の位置にマーカ３０４を表示させる表示制御手段３０５と
を備えることを特徴とする携帯通信機器３００である。
【００４４】
（付記２）
前記表示制御手段は、前記非接触通信手段による非接触通信の間、前記マーカに加えて、該マーカ上で交わる十字交線を表示させる、ことを特徴とする付記１に記載の携帯通信機器である。
【００４５】
（付記３）
前記表示制御手段は、前記非接触通信手段による非接触通信の間、前記マーカに加えて、該マーカに向かう矢印を表示させる、ことを特徴とする付記１に記載の携帯通信機器である。
【００４６】
（付記４）
表示部を備える携帯通信機器での情報提示方法であって、前記表示部の裏面に位置するよう配置されたアンテナ部を用いて、外部リーダ／ライタとの間で非接触通信を行う非接触通信ステップと、前記非接触通信ステップによる非接触通信の間、前記アンテナ部が配置された位置に対応する、前記表示部の位置にマーカを表示させる表示制御ステップとを含むことを特徴とする情報提示方法である。
【００４７】
（付記５）
表示部を備える携帯通信機器のコンピュータに、前記表示部の裏面に位置するよう配置されたアンテナ部を用いて、外部リーダ／ライタとの間で非接触通信を行う非接触通信機能、前記非接触通信機能による非接触通信の間、前記アンテナ部が配置された位置に対応する、前記表示部の位置にマーカを表示させる表示制御機能を実行させることを特徴とするプログラムである。
【符号の説明】
【００４８】
４  ＲＦＩＤアンテナ
６  マーカ
７  機器中心点（表面側）
１０  十字交線
１１  矢印
２０  無線通信部
２１  音声処理部
２２  マイクロフォン
２３  スピーカ
２４  ＲＯＭ
２５  ＲＡＭ
２６  表示デバイス
２７  操作部（タッチパネル）
２８  フェリカ部
２９  ＣＰＵ
１００  携帯通信機器
【図１】
2013131807.tif 000003
【図２】
2013131807.tif 000004
【図３】
2013131807.tif 000005
【図４】
2013131807.tif 000006
【図５】
2013131807.tif 000007
【図６】
2013131807.tif 000008
【図７】
2013131807.tif 000009